(57)【要約】【課題】  従来の腹囲に固定し、サイズも付いた目盛り付の腰ベルトは、腹囲サイズを一定につかめなかった。【解決手段】  本発明は、駒の内径長さ１ｃｍのチェーン（１）に、留めるカン（２）、つなぐカン（３）、目盛マーク（４）を取り付けた、腹囲に固定し、腹囲サイズを管理コーチしてくれるメタボチェーンである。  このメタボチェーンを留めるカン（２）で腹囲に装着する。チェーンは駒の内径長さ１ｃｍの駒に一つ一つ区切られているので、自分のサイズに該当する駒に留めれば、腹囲サイズにいつも一定して固定出来る。メタボチェーンは、いつでも腹囲とチェーンの緩み具合を把握管理し、楽しみながら運動を促進するコーチとなってくれる。【選択図】図１
2009273847.tif 000002
【特許請求の範囲】
【請求項１】
駒の内径長さ１ｃｍのチェーン（１）に、留めるカン（２）を取り付けた、腹囲サイズを管理コーチしてくれるメタボチェーン。
【請求項２】
駒の内径長さ１ｃｍのチェーン（１）に、追加チェーン（５）を追加するための、つなぐカン（３）を取り付けた、請求項１記載の腹囲サイズを管理コーチしてくれるメタボチェーン。
【請求項３】
駒の内径長さ１ｃｍのチェーン（１）に、目盛マーク（４）を取り付けた、請求項１記載の腹囲サイズを管理コーチしてくれるメタボチェーン。
【発明の詳細な説明】
【技術分野】
【０００１】  本発明は、駒の内径長さ１ｃｍのチェーンに、留めるカン、つなぐカン、目盛マークを取り付けた、腹囲に固定し、腹囲サイズを管理コーチしてくれるメタボチェーンに関するものである。
【背景技術】
【０００２】  従来、腹囲に固定し、腹囲サイズもあるもので、目盛り付の腰ベルトがあった。
【発明の開示】
【発明が解決しようとする課題】
【０００３】  これには、次のような欠点があった。
（イ）目盛り付の腰ベルトは腹囲に固定し、腹囲サイズもあった。しかしバックルで腹囲サイズに一定に固定するには、サイズにバラつきが出る場合があったし、腹囲の体形に合わせる為にベルトの追加・カットをすると誤差が生じ、腹囲サイズがつかみ辛く、サイズを管理してくれるまでにはいかなかった。
（ロ）目盛り付の腰ベルトは太さや厚みがあるので、携帯するには不向きであったし、腹囲に一日中装着するにはうっとうしく、サイズを管理してくれるまでにはいかなかった。
【課題を解決するための手段】
【０００４】  駒の内径長さ１ｃｍのチェーン（１）に、留めるカン（２）、つなぐカン（３）、目盛マーク（４）を取り付ける。
本発明は、以上のような構成よりなる腹囲に固定し、腹囲サイズを管理コーチしてくれるメタボチェーンである。
【発明の効果】
【０００５】  本発明は以上のような構造で、
（イ）このメタボチェーンは、留めるカン（２）、つなぐカン（３）、追加チェーン（５）のすべてが、内径長さｃｍ単位のものを使用する。チェーンを腹囲に装着する時は、留めるカン（２）を目盛マーク（４）のあるチェーンの自分の腹囲サイズに該当する位置の駒に留める。この駒はｃｍ単位で一つ一つが区切られているので、位置も容易に分かり、腹囲サイズにいつも一定に固定出来る。
（ロ）チェーンのつなぐカン（３）に、追加チェーン（５）を追加したり、はずしたり出来るので、どんな腹囲体形の人でも、腹囲サイズにいつも一定して固定出来る。
（ハ）チェーンは腹囲から取り外せば、手で握れる程に縮まるので携帯する事も容易である。
（ニ）チェーンは細くて角もないので、腹囲に一日中装着していても苦にならず、いつでも腹囲とチェーンの微妙な緩みを把握管理し、楽しみながら運動を促進するコーチとなってくれる。
【発明を実施するための最良の形態】
【０００６】以下、本案の実施の形態について説明する。
駒の内径長さ１ｃｍのチェーン（１）に留めるカン（２）、つなぐカン（３）、目盛マーク（４）を取り付ける。
本案を使用する時は
（イ）メタボチェーン（図１）を腹囲に装着する場合、片方の手でチェーンの留めるカン（２）部分を持ち上げる。そうするとチェーンのひねっていたものが戻るので、もう片方の手を背中の方から、チェーンの目盛マーク（４）側部分を持って腹囲の前に運ぶ。そして腹囲サイズに該当する位置の駒に留めるカン（２）を留める。（図８）留めた駒の先に余った駒がある場合は下に垂れる。
（ロ）腹囲体形の太い人は、追加用の追加チェーン（５）（図６）をつなぐカン（３）に取り付けてチェーンを追加出来る。追加チェーン（５）は腹囲が細く締まれば、もちろん取り外す事も出来る。
（ハ）チェーンは駒の内径長さ１ｃｍ（図２）で、留めるカン（２）のナスカン・カニカンなどは内径長さ２ｃｍあるいは１ｃｍ（図３）のｃｍ単位を、つなぐカン（３）の二重カンなどは内径長さ１ｃｍ（図４）のｃｍ単位のものを使う。その素材は運動に耐えられる丈夫さと、人体に害のないもので構成する。こうしてつながったチェーンは、ひとつひとつの目盛りがｃｍ単位の丈夫なメジャーに近いものとなる。
（ニ）チェーンに取り付ける目盛マーク（４）は、メジャーにある細かい目盛りではなく、その位置の覚えとしてのマークで良い。例えば５駒間隔にするとか、目標駒、基準値（メタボリックシンドロームの）駒だけのマークでも良い。取り付ける物はマークの代わりになる物なら何でも良く、装飾的にしてお洒落を楽しむ事も出来る。（図５）
（ホ）このチェーンは腹囲を計測するメジャーではなく、腹囲にｃｍ単位で固定出来る様にした、腹囲サイズを管理コーチするものである。メジャーの計測は時として、計測する時（食前後・運動前後・朝昼夜）や呼吸のタイミング、測り手によりサイズが一定しない事がある。そこで単位をｃｍの駒に区切り、腹囲に装着し、いろいろ動いてみて、ここだと納得するサイズを、駒の位置で一定させ固定出来る様にした。チェーンはメジャーではないので、チェーンの寸法をメジャーで計測確認をした後、使用するものとしている。（図７）
（ヘ）チェーンを１年前、１ヶ月前、１週間前の腹囲サイズに固定して、今の腹囲サイズと比較して見たり、運動中・運動後にチェーンのゆるみ具合、ゆれ、たるみ具合、指の入り具合、チェーン跡の付き具合などで腹囲サイズの締まりなどを把握管理し、どの運動が効果あるのか、食事の量やカロリーはどれが良かったのか等のコーチもしてくれる。チェーンと腹囲から感じる微妙な変化は、メジャーやデジタル数値を見て感じるよりも、体が感じて教えてくれる良き腹囲サイズの管理コーチとなるものである。
（ト）メタボリック症候群の健診から、おなか廻りを気にするこの頃、たまにメジャーで計測するだけで、おなかがどうなって行くのか自身の持てない人でも、メタボチェーンを固定しておれば、常に意識させられ多くの人の健康志向が高まる様になる。
【図面の簡単な説明】
【０００７】
【図１】本発明のメタボチェーン全体の斜視図。
【図２】本発明の駒の内径長さ１ｃｍのチェーンの寸法と斜視図。
【図３】本発明の留めるカンの寸法と斜視図。
【図４】本発明のつなぐカンの寸法と斜視図。
【図５】本発明の目盛マークの斜視図。
【図６】本発明の追加チェーンの斜視図。
【図７】本発明のチェーンの寸法をメジャーで計測確認した斜視図。
【図８】本発明の使用中の斜視図。
【符号の説明】
【０００８】  １  駒の内径長さ１ｃｍのチェーン    ２  留めるカン    ３  つなぐカン
４  目盛マーク    ５  追加チェーン
【図１】
2009273847.tif 000003
【図２】
2009273847.tif 000004
【図３】
2009273847.tif 000005
【図４】
2009273847.tif 000006
【図５】
2009273847.tif 000007
【図６】
2009273847.tif 000008
【図７】
2009273847.tif 000009
【図８】
2009273847.tif 000010
【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
駒の内径長さ１ｃｍのチェーン（１）に、留めるカン（２）を取り付けた、腹囲サイズを管理コーチしてくれるメタボチェーン。
【請求項２】
駒の内径長さ１ｃｍのチェーン（１）に、つなぐカン（３）、目盛マーク（４）を取り付けた、請求項１記載の腹囲サイズを管理コーチしてくれるメタボチェーン。
【請求項３】
駒の内径長さ１ｃｍのチェーン（１）に、（１）以外のチェーンやワイヤ、紐等（６）を足した、請求項１記載の腹囲サイズを管理コーチしてくれるメタボチェーン。
【請求項４】
駒の内径長さ１ｃｍのチェーン（１）に、（１）以外のチェーンやワイヤ、紐等（６）を足し、つなぐカン（３）、目盛マーク（４）を取り付けた、請求項１記載の腹囲サイズを管理コーチしてくれるメタボチェーン
【手続補正２】
【補正対象書類名】明細書
【補正対象項目名】０００６
【補正方法】変更
【補正の内容】
【０００６】  以下、本案の実施の形態について説明する。
駒の内径長さ１ｃｍのチェーン（１）に留めるカン（２）、つなぐカン（３）、目盛マーク（４）を取り付ける。
本案を使用する時は
（イ）メタボチェーン（図１）を腹囲に装着する場合、片方の手でチェーンの留めるカン（２）部分を持ち上げる。そうするとチェーンのひねっていたものが戻るので、もう片方の手を背中の方から、チェーンの目盛マーク（４）側部分を持って腹囲の前に運ぶ。そして腹囲サイズに該当する位置の駒に留めるカン（２）を留める。（図８）留めた駒の先に余った駒がある場合は下に垂れる。
（ロ）腹囲体形の太い人は、追加用の追加チェーン（５）（図６）をつなぐカン（３）に取り付けてチェーンを追加出来る。追加チェーン（５）は腹囲が細く締まれば、もちろん取り外す事も出来る。追加チェーン（５）は寸法さえ合えば（１）以外のチェーンやワイヤ、紐等（６）でも良い。
（ハ）チェーンは駒の内径長さ１ｃｍ（図２）で、留めるカン（２）のナスカン・カニカンなどは内径長さ２ｃｍあるいは１ｃｍ（図３）のｃｍ単位を、つなぐカン（３）の二重カンなどは内径長さ１ｃｍ（図４）のｃｍ単位のものを使う。その素材は運動に耐えられる丈夫さと、人体に害のないもので構成する。こうしてつながったチェーンは、ひとつひとつの目盛りがｃｍ単位の丈夫なメジャーに近いものとなる。
（ニ）チェーンに取り付ける目盛マーク（４）は、メジャーにある細かい目盛りではなく、その位置の覚えとしてのマークで良い。例えば５駒間隔にするとか、目標駒、基準値（メタボリックシンドロームの）駒だけのマークでも良い。取り付ける物はマークの代わりになる物なら何でも良く、装飾的にしてお洒落を楽しむ事も出来る。（図５）目盛マーク（４）を取り付けずに、目盛りとなる位置の駒の色や柄等を変えて、目盛りが分かる様にしても良い。
（ホ）このチェーンは腹囲を計測するメジャーではなく、腹囲にｃｍ単位で固定出来る様にした、腹囲サイズを管理コーチするものである。メジャーの計測は時として、計測する時（食前後・運動前後・朝昼夜）や呼吸のタイミング、測り手によりサイズが一定しない事がある。そこで単位をｃｍの駒に区切り、腹囲に装着し、いろいろ動いてみて、ここだと納得するサイズを、駒の位置で一定させ固定出来る様にした。チェーンはメジャーではないので、チェーンの寸法をメジャーで計測確認をした後、使用するものとしている。（図７）
（ヘ）チェーンを１年前、１ヶ月前、１週間前の腹囲サイズに固定して、今の腹囲サイズと比較して見たり、運動中・運動後にチェーンのゆるみ具合、ゆれ、たるみ具合、指の入り具合、チェーン跡の付き具合などで腹囲サイズの締まりなどを把握管理し、どの運動が効果あるのか、食事の量やカロリーはどれが良かったのか等のコーチもしてくれる。チェーンと腹囲から感じる微妙な変化は、メジャーやデジタル数値を見て感じるよりも、体が感じて教えてくれる良き腹囲サイズの管理コーチとなるものである。
（ト）メタボリック症候群の健診から、おなか廻りを気にするこの頃、たまにメジャーで計測するだけで、おなかがどうなって行くのか自身の持てない人でも、メタボチェーンを固定しておれば、常に意識させられ多くの人の健康志向が高まる様になる。
（チ）駒の内径長さ１ｃｍのチェーン（１）に、（１）以外のチェーンやワイヤ、紐等（６）を足したメタボチェーンの場合の寸法は、（１）以外のチェーンやワイヤ、紐等（６）及び、留めるカン（２）、つなぐカン（３）、追加チェーン（５）がｃｍ単位のものでなくても、目盛りの駒の位置での寸法がｃｍ単位で捉えられていれば良い。（図９）
【手続補正３】
【補正対象書類名】明細書
【補正対象項目名】０００７
【補正方法】変更
【補正の内容】
【０００７】
【図１】本発明のメタボチェーン全体の斜視図。
【図２】本発明の駒の内径長さ１ｃｍのチェーンの寸法と斜視図。
【図３】本発明の留めるカンの寸法と斜視図。
【図４】本発明のつなぐカンの寸法と斜視図。
【図５】本発明の目盛マークの斜視図。
【図６】本発明の追加チェーンの斜視図。
【図７】本発明のチェーンの寸法をメジャーで計測確認した斜視図。
【図８】本発明の使用中の斜視図。
【図９】本発明の駒の内径長さ１ｃｍのチェーン（１）に、（１）以外のチェーンやワイヤ、紐等（６）を足したメタボチェーン全体の斜視図。
【手続補正４】
【補正対象書類名】明細書
【補正対象項目名】０００８
【補正方法】変更
【補正の内容】
【０００８】１  駒の内径長さ１ｃｍのチェーン    ２  留めるカン    ３  つなぐカン
４  目盛マーク    ５  追加チェーン    ６  （１）以外のチェーンやワイヤ、紐等
【手続補正５】
【補正対象書類名】図面
【補正対象項目名】図９
【補正方法】追加
【補正の内容】
【図９】
2009273847.tif 000011